(57)【特許請求の範囲】
【請求項１】
制御回路を備えたコントローラと、
前記コントローラが収容され、上端部側が少なくとも部分的に開放した構成をなす筐体と、
前記筐体の上端部を覆う構成で前記筐体に取り付けられる天板と、
前記天板に取り付けられ、前記天板の上方側からの操作に用いられる操作部と、
前記操作部と前記コントローラとの間の信号伝達の経路となる電線部と、
を備え、
前記操作部は、
外部からの押下操作の対象となる押下部を備え、前記押下部に対する押下操作によってオンオフが切り替わる押下スイッチと、
前記押下スイッチが実装され、前記電線部の一端側が直接又は他部材を介して間接的に接続される基板部と、
上面部と、前記上面部から下方側に延び前記基板部を保持する構成をなす保持部と、前記保持部の下方側に延びる延設部と、を備えるとともに、前記天板に固定され、前記押下部又は前記押下部を覆う部材を前記天板の上方側に露出させた構成で前記基板部を保持する保持筐体部と、
前記電線部を前記延設部に結束して固定する結束部と、
を有し、
前記操作部の前記保持部は筒状部を備えるとともに、前記筒状部の外面部に係止部が形成されており、
前記操作部の前記上面部は、前記筒状部から張り出すフランジ部を含み、
前記天板には、貫通孔部が形成されており、
前記保持筐体部は、前記フランジ部が前記天板の上面側で支持され且つ前記筒状部が前記貫通孔部に挿入されつつ前記係止部が前記貫通孔部の縁部と係止する構成で前記天板に固定されるコンロ。
【請求項２】
前記操作部の前記結束部は、前記延設部とは別体に構成されるとともに前記延設部に固定される結束部材を含む請求項１に記載のコンロ。
【請求項３】
前記筐体又は前記筐体に固定される部材には、前記電線部を前記結束部による結束位置よりも前記コントローラ側で支持する筐体側支持部が形成されている請求項１又は請求項２に記載のコンロ。
【発明の詳細な説明】
【技術分野】
【０００１】
本発明は、コンロに関するものである。
【背景技術】
【０００２】
従来から提供されているガスコンロには、施工やメンテナンスなどを行い易くする等の理由から、コンロの外面部を構成するプレートの一部を着脱可能にした構成のものがある。例えば、特許文献１には、上方開放部が天板で覆われた本体ケースを具備するコンロにおいて、天板を着脱可能とした例が開示されている。
【先行技術文献】
【特許文献】
【０００３】
【特許文献１】特開２００４−２５１５８９号公報
【特許文献２】特開２００９−１８０４００号公報
【発明の概要】
【発明が解決しようとする課題】
【０００４】
ところで、ガスコンロでは、ユーザの利便性向上や配置スペースの効率化等を図る上で、天板に電子部品を設けることが望ましい場合もある。但し、天板に電子部品を設ける場合、天板側の電子部品と本体部側の電子回路との電気的接続を確保するための電線が必要になり、このような電線を天板と本体部との間に介在させなければならない。しかし、天板と本体部とを電線によって連結してしまうと、メンテナンス時などにおいて本体部から天板を取り外したときに電線が引っ張られやすくなり、電線に接続される部品に強い力が加わりやすいという問題がある。
【０００５】
このような問題は、天板に電子部品を設ける構造を、特許文献２で開示されるような幅の狭いガスコンロに適用する場合により顕著となる。特許文献２には、左右の幅が狭い平面視略正方形型のグリル付きガスコンロが開示され、天板の左手前側に強火力バーナを配置し、右奥側に小火力バーナを配置した構成で、２つのバーナを併設している。このガスコンロのように天板のサイズが小さくなると、ガスバーナからの熱の影響が及ぶ領域の割合（天板全体に占める割合）が大きくなるため、電子部品を配置し得るスペースは狭い範囲に限定される。更に、ボタンの操作性なども考慮すると、スペース的な制約は一層大きくなる。つまり、天板の小サイズ化を図ろうとすると、電子部品を配置し得る現実的なスペースがより制限されることになる。
【０００６】
このように、天板の小サイズ化を図りつつ天板に電子部品を装着する場合、電子部品を配置可能なスペースが大きく制限されるため、天板側に取り付ける電子部品や電子部品と電線を連結する構造についても、よりコンパクトに構成することが求められる。しかし、電子部品や連結部分が小さくなるほど、この部分の強度が低下するため、電線が引っ張られた時に断線や損傷などが生じやすくなる。
【０００７】
本発明は、上述した課題を解決するためになされたものであり、着脱可能な天板に電子部品を設けることができるコンロを、天板の小型化及び連結部分の損傷防止に有利な構成で実現することを目的とするものである。
【課題を解決するための手段】
【０００８】
本発明は、制御回路を備えたコントローラと、
前記コントローラが収容され、上端部側が少なくとも部分的に開放した構成をなす筐体と、
前記筐体の上端部を覆う構成で前記筐体に取り付けられる天板と、
前記天板に取り付けられ、前記天板の上方側からの操作に用いられる操作部と、
前記操作部と前記コントローラとの間の信号伝達の経路となる電線部と、
を備え、
前記操作部は、
外部からの押下操作の対象となる押下部を備え、前記押下部に対する押下操作によってオンオフが切り替わる押下スイッチと、
前記押下スイッチが実装され、前記電線部の一端側が直接又は他部材を介して間接的に接続される基板部と、
上面部と、前記上面部から下方側に延び前記基板部を保持する構成をなす保持部と、前記保持部の下方側に延びる延設部と、を備えるとともに、前記天板に固定され、前記押下部又は前記押下部を覆う部材を前記天板の上方側に露出させた構成で前記基板部を保持する保持筐体部と、
前記電線部を前記延設部に結束して固定する結束部と、
を有する。
【発明の効果】
【０００９】
本発明に係るコンロは、筐体に収容されたコントローラと、天板に取り付けられる操作部とを備え、コントローラと操作部との間の信号伝達経路となるように電線部が設けられている。このように構成されているため、天板に電子部品を設けることができ、電線部によって天板側と筐体側とを電気的に接続することができる。
更に、操作部は、基板部を保持する保持筐体部が天板に固定される構成をなし、保持筐体部には下方側に延びる延設部が形成されている。そして、この延設部に対して、結束部によって電線部が結束される構造となっている。このように構成されているため、電線部が基板部側とは反対側に引っ張られた場合に、その引っ張り力が基板部側に伝達することを結束部によって確実に抑制することができる。よって、このような引っ張り力に起因する電子部品の損傷防止が図られる。
【図面の簡単な説明】
【００１０】
【図１】図１は、実施例１のガスコンロの一部を概略的に示す平面図である。
【図２】図２は、実施例１のガスコンロの一部を概略的に示す正面図である。
【図３】図３は、実施例１のガスコンロの電気的構成を例示するブロック図である。
【図４】図４は、実施例１のガスコンロに用いられる操作部を例示する平面図である。
【図５】図５は、図４の操作部のＢ−Ｂ断面概略図である。
【図６】図６は、図４の操作部の斜視図である。
【図７】図７は、図４の操作部を図６とは異なる方向から見た斜視図である。
【図８】図８は、図１のＡ−Ａ断面概略図である。
【図９】図９は、筐体から天板を取り外した状態を部分的且つ概略的に示す斜視図である。
【発明を実施するための形態】
【００１１】
発明の望ましい形態を以下に例示する。
操作部の結束部は、延設部とは別体に構成されるとともに延設部に固定される結束部材を含んでいてもよい。
【００１２】
この構成によれば、結束部材に損傷等が生じた場合に結束部材のみを交換して対応することが可能となる。また、延設部を結束部材と一体的に形成する必要が無いため、延設部及び結束部材を形成する上での自由度が増す。
【００１３】
操作部の保持部は筒状部を備えた構成であってもよく、筒状部の外面部に係止部が形成されていてもよく、操作部の上面部は、筒状部から張り出すフランジ部を含んでいてもよい。天板には、貫通孔部が形成されていてもよい。保持筐体部は、フランジ部が天板の上面側で支持され且つ筒状部が貫通孔部に挿入されつつ係止部が貫通孔部の縁部と係止する構成で天板に固定される構成であってもよい。
【００１４】
この構成によれば、連結部材を多数用いることなく保持筐体部を天板に安定的に固定することができる。特に、天板側については貫通孔部を形成するという簡易な構成で済み、操作部側についても、筒状部にフランジ部と係止部を形成するという簡易な構成で済むため、部品点数を抑えた簡易な構成で安定的な組み付けが可能となる。
【００１５】
筐体又は筐体に固定される部材には、電線部を結束部による結束位置よりもコントローラ側で支持する筐体側支持部が形成されていてもよい。
【００１６】
この構成によれば、例えば天板の取り外し時などにおいて電線部に引っ張り力が生じた場合に、その引っ張り力が基板部付近に伝達することを抑制するだけでなく、コントローラ側に伝達することも確実に抑制することができる。よって、このような引っ張り力に起因する筐体側の損傷についても防止効果が高まる。
【００１７】
＜実施例１＞
以下、本発明の一例を具現化したガスコンロ１について、図面に基づいて説明する。これらの図面は、本発明が採用しうる技術的特徴を説明するために用いられるものである。以下に記載されている装置の構造などは、特に特定的な記載がない限り、それのみに限定する趣旨ではなく、単なる説明例である。
【００１８】
図１、図２で示すガスコンロ１は、図９で示す筐体４に対して板状に構成された天板２が着脱可能に取り付けられてなるものである。筐体４は、上端部４Ａ側が少なくとも部分的に開放した箱状のケース体として構成され、前後左右が壁部によって囲まれた内部空間に各種部品を収容する構成をなす。本構成では、天板２において、ガスバーナ５，６の周囲に平坦な上面を有する平坦部２Ａが設けられており、この平坦部２Ａの上面と直交する方向をガスコンロ１の上下方向とする。
【００１９】
図１、図２で示す天板２は、筐体４（図９）の上端部４Ａを覆うことにより筐体４の上方側の開口を閉塞する形で筐体４に対して上方側から組み付けられる。この天板２は、図２のように筐体４に組みつけられた状態でガスコンロ１の上面部として機能する。天板２は、筐体４に対して着脱可能とされており、天板２の左右両側には天板２を厚さ方向に貫通した形で開口部が形成されている。
【００２０】
図１のように、天板２の左側の開口部の内側にはガスバーナ５が設けられ、右側の開口部の内側にはガスバーナ６が設けられている。それぞれの開口部の各上部には五徳１１，１２が各々設けられている。五徳１１，１２は、それぞれの上面に調理鍋（図示略）等の調理容器を載置し得る構成となっている。ガスバーナ５，６は、燃焼ガスを燃焼させて五徳１１，１２に載置された調理容器を加熱するように機能する。なお、本構成では、五徳１１，１２上に平坦な板材を配置したときのその板面と直交する方向がガスコンロ１の上下方向となっている。
【００２１】
図１のように、ガスバーナ５の中心にはセンサ部１５が設けられ、ガスバーナ６の中心にはセンサ部１６が設けられている。センサ部１５，１６は上下方向に出退可能であり且つバネ（図示略）により上方に付勢されている。センサ部１５は図３で示すサーミスタ７を備えたものであり、五徳１１に調理鍋が載置された際に下方向へ押し下げられる構成をなすとともに、サーミスタ７によってその載置された調理鍋の下面温度を検出する。センサ部１６は図３で示すサーミスタ８を備えたものであり、五徳１２に調理鍋が載置された際に下方向へ押し下げられる構成をなすとともに、サーミスタ８によってその載置された調理鍋の下面温度を検出する。
【００２２】
図１のようにガスコンロ１の上面側において、天板２の前端寄り且つ右端寄りの領域には、天板２を貫通した形で点火スイッチ２１，２２がそれぞれ設けられている。点火スイッチ２１，２２はいずれも天板２の上方側に突出した形で配置され、左側の点火スイッチ２１は、ガスバーナ５の点火操作を行うためのスイッチとなっている。また、右側の点火スイッチ２２は、ガスバーナ６の点火操作を行うためのスイッチとなっている。天板２の後端寄りの領域には、図示しないグリル排気口を覆う形で排気カバー部１３が天板２の一部として構成され、この排気カバー部１３には複数の排気孔１３Ａが形成されている。
【００２３】
図２に示すように、ガスコンロ１の前面にはグリル扉１７とグリル点火スイッチ２３とが各々設けられている。グリル点火スイッチ２３は、図示しないグリルバーナの点火操作を行うためのスイッチとして構成されている。
【００２４】
図３のように、ガスバーナ５、ガスバーナ６及びグリルバーナには、イグナイタ２５〜２７が各々設けられている。イグナイタ２５〜２７は点火スイッチ２１〜２３の点火操作に夫々連動して火花を放電させて各種バーナに点火する機器である。また、ガスコンロ１には、ガスバーナ５にガスを供給する為の第１ガス供給管（図示略）と、ガスバーナ６にガスを供給する為の第２ガス供給管（図示略）と、グリルバーナにガスを供給する為の第３ガス供給管（図示略）とが設けられる。
【００２５】
図３を参照して、ガスコンロ１の電気的構成について説明する。
ガスコンロ１において、筐体４の内部には電源部４０が収容されている。この電源部４０は、例えば２本の乾電池が直列に接続された構成となっており、筐体４に対し直接又は他部材を介して間接的に固定されている。また、筐体４の内部には、コントローラ９が収容され、このコントローラ９も筐体４に対して直接又は他部材を介して間接的に固定されている。コントローラ９は、１又は複数の基板に各種電子部品が実装された電子装置として構成され、様々な制御を実行可能とされている。
【００２６】
コントローラ９には、制御回路として機能するマイクロコンピュータ（以下、マイコンともいう）５０が設けられている。このマイコン５０は、ＣＰＵ、ＲＯＭ、ＲＡＭ等に加え、更に、図示しないタイマやＩ／Ｏインタフェイス等を備える。マイコン５０のＣＰＵは、ガスコンロ１の各種動作を統括制御するものであり、各種演算処理を行い得る。また、マイコン５０のＲＯＭにはガスコンロ１の各種制御プログラムが記憶されている。
【００２７】
マイクロコンピュータ５０には、電源回路４１、スイッチ入力回路４２、サーミスタ入力回路４３、イグナイタ回路４５、安全弁回路４６、電磁弁回路４７等が各々接続されている。電源回路４１は電源部４０（例えば電池ボックスに搭載される２つの乾電池）からの電力供給を受け、各種回路に印加する直流電圧を生成する機能を有する。スイッチ入力回路４２は、点火スイッチ２１〜２３、及び押下スイッチ９４の押下を各々検出する。イグナイタ回路４５は各種バーナのイグナイタ２５〜２７を各々駆動する。安全弁回路４６は上述した第１〜第３ガス供給管にそれぞれ設けられた各安全弁２８〜３０の開閉を行う。電磁弁回路４７は上述した第１、第２ガス供給管にそれぞれ設けられた各電磁弁３１，３２の開閉を行う。マイクロコンピュータ５０は、ガスバーナ５へと続く第１ガス供給管に設けられた電磁弁３１、安全弁２８の開放や閉塞を制御し得る部分であり、ガスバーナ６へと続く第２ガス供給管に設けられた電磁弁３２、安全弁２９の開放や閉塞を制御し得る部分である。
【００２８】
次に、天板２に設けられた電子部品と、この電子部品を動作させるための電気的構成について説明する。
ガスコンロ１は、図９のように筐体４に対して第１回路構成部６１が組み付けられており、図８のように天板２に対して第２回路構成部６２が組み付けられている。
【００２９】
図３のように、第１回路構成部６１は、複数の配線からなる第１配線部（電線部７１）と、第１配線部（電線部７１）に接続される第１コネクタ部８１とを備える。この第１回路構成部６１は、天板２及び筐体４のうちの筐体４側に組み付けられる電子回路として構成される。この第１回路構成部６１は、天板２及び第２回路構成部６２が筐体４から取り外された後にも筐体４側の部品として装着され続ける部分である。
【００３０】
図８のように、第２回路構成部６２は、天板２に取り付けられ、天板２の上方側からの操作に用いられる操作部９０と、複数の配線からなる第２配線部（電線部７２）と、第２配線部（電線部７２）に接続される第２コネクタ部８２とを備える。この第２回路構成部６２は、天板２及び筐体４のうちの天板２側に組み付けられる電子回路として構成され、天板２を筐体４から取り外す際に、天板２に組み付けられた連結体として天板２と共に取り外される部分となっている。
【００３１】
操作部９０は、図４〜図８のような構成をなし、図５、図８のように、押下スイッチ９４と押下スイッチ９４が実装される操作基板９８とを備える。押下スイッチ９４は、例えば公知のタクタイルスイッチとして構成され、外部からの押下操作の対象となる押下部９４Ａと、この押下部９４Ａを保持する本体部９４Ｂと、図示しない複数の端子とを備える。押下スイッチ９４は、押下部９４Ａに対して押下操作がなされることによってオンオフが切り替わるようになっており、例えば、押下部９４Ａが押下された状態で複数の端子間が導通状態（オン状態）となり、押下部９４Ａが押下されていない状態では複数の端子間が非導通状態（オフ状態）となる。押下部９４Ａに対する押下操作がなされていないときには、押下部９４Ａが初期位置に配置されるように図示しない付勢部材による付勢力が生じるようになっている。
【００３２】
押下スイッチ９４の用途は特に限定されないが、例えば、高温許可用の解除スイッチなどとして好適に使用できる。この場合、マイコン５０が、通常モードと高温炒めモードとを切り替える手段として機能し、高温炒めモードの条件を満たさない期間はガスコンロ１を通常モードに設定する。マイコン５０は、通常モードでは、ガスバーナ５又はガスバーナ６の使用時に、例えばサーミスタ７，８のいずれかで検出される温度が所定の第１閾値温度（例えば２５０℃）になった場合に、検出温度が閾値温度に達したサーミスタ側のガスバーナを自動的に消化させるように保護動作を行う。
【００３３】
一方、押下スイッチ９４が押されてから所定の終了条件が成立するまで（例えば、押下スイッチ９４の押圧から一定時間経過するまで）を「高温炒めモードの条件を満たす期間」とすることができる。マイコン５０は、押下スイッチ９４が押された場合、この期間は、閾値温度を第１閾値温度からこれよりも高い第２閾値温度（例えば、２９０℃）にシフトさせる。マイコン５０は、高温炒めモードでは、ガスバーナ５又はガスバーナ６の使用時に、サーミスタ７，８のいずれかで検出される温度が上記第２閾値温度（例えば２９０℃）になった場合に、検出温度が閾値温度に達したサーミスタ側のガスバーナを自動的に消化させるように保護動作を行うことになる。
【００３４】
操作基板９８は、基板部の一例に相当し、例えば公知のプリント基板として構成されている。操作基板９８は、一方の板面側に押下スイッチ９４の複数の端子が接合された形で押下スイッチ９４が表面実装され、他方の板面側には、電線部７２を構成する複数の電線部７２Ｄがはんだ付けによって直接接合されている。
【００３５】
本構成では、筐体４内に電源部４０が設けられ、第１回路構成部６１も筐体４内に設けられているが、電源部４０からの電力供給経路は、第２コネクタ部８２側を経由する構成となっている。このため、天板２と共に第２コネクタ部８２が取り外されてしまうと、電力供給経路が遮断されるようになっている。具体的には、電源部４０の低電位側端子（マイナス端子）に接続される電源側配線（電線部７１Ａ）が、電線部７１の一部として第１コネクタ部８１に接続されている。更に、第１回路構成部６１における低電位側の基準導電路となる電線部７１Ｂが、電線部７１の一部として第１コネクタ部８１に接続されている。一方、第２コネクタ部８２側には、電線部７１Ａと基準導電路となる電線部７１Ｂとを導通させるための中間配線７２Ａが第２配線部（電線部７２）の一部として接続されている。電線部７１Ｂは、例えばガスコンロ１の使用時にグランド電位に保たれ、グランドとして用いられる配線である。
【００３６】
この構成では、図３のように、第１コネクタ部８１と第２コネクタ部８２とが正規の連結状態で接続されている場合には、電源側配線（電線部７１Ａ）と基準導電路となる配線（電線部７１Ｂ）とが中間配線７２Ａを介して導通状態となる。そして、電線部７１Ｂは、電源部４０の低電位側端子（マイナス端子）及びグランドラインに導通することになり、グランドレベルに保たれる。これにより、図３で示す電源回路４１には、所定の直流電圧が印加される電源ライン（配線７４による導電路）と、グランド電位で保たれるグランドライン（電線部７１Ａ，７１Ｂによる導電路）とが確保されるため、電源部４０から通電がなされ、駆動電力が供給される。
【００３７】
このように第１コネクタ部８１と第２コネクタ部８２とが正規の連結状態で接続されている場合、電線部７２Ｄを構成する各配線と電線部７１Ｄを構成する各配線とがそれぞれ導通した状態となり、天板２側から筐体４側へと信号を伝送することが可能となる。電線部７２Ｄ，７１Ｄは、操作部９０とコントローラ９との間の信号伝達の経路として機能する配線である。具体的には、押下スイッチ９４は、押下部９４Ａに対して押圧操作がなされていない状態では、電線部７２Ｄ，７１Ｄのいずれかの配線経路に対して非押圧信号（例えばＬレベル信号）を出力し続け、第１コネクタ部８１と第２コネクタ部８２とが正規の連結状態で接続されているときに押下スイッチ９４に対して押圧操作がなされた場合にその配線経路に対して押圧信号（例えばＨレベル信号）を出力するようになっており、このような押圧信号又は非押圧信号が図３のスイッチ入力回路４２に入力されるようになっている。
【００３８】
一方、第１コネクタ部８１と第２コネクタ部８２とが結合していない場合には、電源側配線（電線部７１Ａ）と基準導電路となる配線（電線部７１Ｂ）との間に中間配線７２Ａが介在しないため、電源部４０から第１回路構成部６１への電力供給がなされず、且つ第１回路構成部６１と第２回路構成部６２とが非導通状態となる。
【００３９】
このように第１コネクタ部８１と第２コネクタ部８２とが接続されていない場合、電線部７２Ｄ，７１Ｄも互いに絶縁状態となる。つまり、押下スイッチ９４の押下部９４Ａが押圧されても、電線部７２Ｄ，７１Ｄを介した信号伝送は一切なされず、第１回路構成部６１には押圧信号が入力されなくなる。但し、このように押下スイッチ９４が使用不能となる場合、第１回路構成部６１側への電力供給も遮断されるため、押下スイッチ９４が使用不能な状態では機器を使用させないようにすることができる。具体的には、第１回路構成部６１側で基準導電路となるべき配線（電線部７１Ｂ）は、電源部４０の低電位側端子（マイナス端子）及びグランドに導通しないことになり、電線部７１Ｂの端部がオープンになる。この場合、電源回路４１がグランドに導通せず、電源部４０からの通電は遮断される。
【００４０】
次に、操作部９０における保護構造について説明する。
操作部９０は、図４〜図８のように構成され、主として、押下スイッチ９４と、操作基板９８と、保持筐体部１００と、結束部１２０とを備える。なお、以下の説明では、図５のように、操作基板９８の板面と直交する方向を基準方向として説明する。図１のガスコンロ１では、上記基準方向がガスコンロ１の上下方向に対して傾斜した方向となっている。
【００４１】
図５、図７、図８のように、保持筐体部１００は、例えば公知の樹脂材料などによって構成されており、基準方向一方側の壁部を構成する上面部１０２と、上面部１０２から下方側に延びる筒状部１０６と、筒状部１０６の下方側に延びる延設部１０８とが一体的に形成されている。この保持筐体部１００は、天板２に固定され、押下部９４Ａを覆う部材を天板２の上方側に露出させた構成で操作基板９８（基板部）を保持する。
【００４２】
筒状部１０６は、保持部の一例に相当し、操作基板９８（基板部）を内部に収容して保持する部分である。筒状部１０６は、略円筒状に構成されており、基準方向一方側（上方側）の開口が上面部１０２によって閉塞され、基準方向他方側（下方側）が開放した構成となっている。そして、この筒状部１０６の外面部には、保持筐体部１００を筐体４に固定するための係止部１１１，１１２が形成されている。図５、図７、図８等で示す例では、操作基板９８は、上面部１０２と対向した形で筒状部１０６の内部に収容され、筒状部１０６の内部に形成された係合部と係合した構造で筒状部１０６に固定されている。
【００４３】
図７のように、筒状部１０６には、この筒状部１０６の基準方向他方側の端部（下端部）からフランジ部１０４の近くまで基準方向に延びるように一対の切欠き部１１４Ａ，１１４Ｂが形成されており、これら一対の切欠き部１１４Ａ，１１４Ｂはほぼ平行に延びている。そして、これら切欠き部１１４Ａ，１１４Ｂの間には、上面部１０２の付近から基準方向に沿って下方側に延びるように係止部１１２が形成されている。係止部１１２と向かい合う位置には、上面部１０２の付近から基準方向に沿って下方側に延びるように係止部１１１が形成されている。係止部１１１の両側には、筒状部１０６の基準方向他方側の端部（下端部）からフランジ部１０４の近くまで基準方向に延びるように一対の切欠き部形成されている。これら一対の切欠き部もほぼ平行に延びている。なお、図７では、これら一対の切欠き部のうち一方の切欠き部１１３Ａのみを図示し、他方の切欠き部については図示を省略している。
【００４４】
上面部１０２は、筒状部１０６の上端部に連結された板状の部分であり、上面部１０２の一部が筒状部１０６から張り出すフランジ部１０４として構成されている。板状に構成された上面部１０２には、板厚方向に貫通した孔状又はスリット状の貫通部１０２Ａが１又は複数形成されており、更に、貫通部１０２Ａの開口領域に隣接して弾性変形可能に構成された撓み部１０２Ｂが設けられている。撓み部１０２Ｂは、例えば、上面部１０２における他の部位（撓み部１０２Ｂ以外の部位）と一体的に形成されるとともに撓み変形可能な形状（例えば、他の部位から片持ち状に延びる形状、狭い幅のフレーム形状等）とされており、押下部９４Ａと対向して配置されている。
【００４５】
上面部１０２の上面には、樹脂シートなどからなるシート材９２が貼り付けられている。このシート材９２は、少なくとも貫通部１０２Ａ及び撓み部１０２Ｂを覆うように貼り付けられており、貫通部１０２Ａ及び撓み部１０２Ｂを覆う位置には、他の位置よりも厚く形成された盛り上がり部９２Ａが形成されている。
【００４６】
このように構成された操作部９０では、図８等で示す所定位置（盛り上がり部９２Ａの位置）に押下操作がなされていない状態では、撓み部１０２Ｂが所定の自然形状で維持される。この自然形状のときには、撓み部１０２Ｂが押下部９４Ａを押下する押下作用（押下スイッチ９４がオン状態となる押下作用）は生じないため、押下スイッチ９４はオフ状態で維持される。一方、上方側から所定位置（盛り上がり部９２Ａの位置）を下方に押すように操作がなされた場合、撓み部１０２Ｂが下方側に撓むように弾性変形し、押下部９４Ａを押すように作用する。このような作用により、押下スイッチ９４がオン状態に切り替わる。
【００４７】
このように構成された操作部９０は、図８のように、保持筐体部１００の筒状部１０６を天板２に形成された貫通孔部３Ａに挿入する形で天板２に固定される。天板２は、平坦な外壁部２Ｂを有しており、図１、図２のように、この外壁部２Ｂがガスコンロ１の上下方向に対して傾斜した配置（具体的には、上面が斜め前方側を向いた傾斜配置）となっている。図８のように、天板２の外壁部２Ｂの下面側から下方側（具体的には斜め下方側）に立ち下がるように略円筒状の立下り部３が形成されており、この立下り部３（筒状立下り部）の内周部が貫通孔部３Ａとなっている。そして、この貫通孔部３Ａに筒状部１０６が挿入された嵌合構造で、天板２と操作部９０とが連結されている。
【００４８】
より具体的には、図８のように、フランジ部１０４の下面が天板２の外壁部２Ｂの上面と接触する形でフランジ部１０４が天板２の上面側で支持される。そして、筒状部１０６が貫通孔部３Ａに挿入されつつ係止部１１１，１１２が貫通孔部３Ａの縁部（下端部）と係止する構成で、操作部９０が天板２に固定されている。図８の構造では、係止部１１１，１１２の本体部１１１Ｂ，１１２Ｂが貫通孔部３Ａの内周面に沿って配置され、本体部１１１Ｂ，１１２Ｂの先端部に形成された突起部（各爪部１１１Ａ，１１２Ａ）が、貫通孔部３Ａの内周面よりも外側（より具体的には、貫通孔部３Ａの外周面よりも外側）に突出している。このような構成で、係止部１１１，１１２が貫通孔部３Ａの縁部（下端部）に引っ掛かり、上方側に抜けないように係止している。
【００４９】
更に、操作部９０には、結束部材１２２が設けられている。この結束部材１２２は、例えば延設部１０８と異なる樹脂材料又は同一の樹脂材料によって構成され、延設部１０８とは別体に構成されており、延設部１０８に組み付けられた形で延設部１０８に固定されている。そして、この結束部材１２２によって電線部７２を保持するための結束部１２０が構成されている。結束部１２０は、第２回路構成部６２を構成する電線部７２の少なくとも一部（具体的には、電線部７２Ｄ）を延設部１０８に結束して固定するように機能している。
【００５０】
図７等で示す操作部９０では、延設部１０８は、筒状部１０６の基準方向一方側の端部（下端部）よりも基準方向一方側（下方側）に延びた構成となっている。この延設部１０８は、湾曲した板状形態をなしており、この延設部１０８の一部に貫通孔１０８Ａが形成されている。そして、この貫通孔１０８Ａに結束部材１２２が挿入された形で、結束部材１２２が延設部１０８に固定されている。
【００５１】
図７のように、結束部材１２２において筒状部１０６の内側寄りの位置には、環状部１２４が設けられており、この環状部１２４によって束ねられる形で電線部７２Ｄが保持されている。環状部１２４は、複数の電線部７２Ｄをある程度の強さで挟み込むように構成されていてもよく、複数の電線部７２Ｄを若干緩やかに束ねるように配置されていてもよい。なお、図８では、複数の電線部７２Ｄの一部を省略して示しているが、環状部１２４に保持される複数の電線部７２Ｄは、第２コネクタ部８２とは反対側の端部がそれぞれ操作基板９８の下面（裏面）に直接はんだ付けされている。
【００５２】
更に、本構成では、図９のように、筐体４側にも、電線部７１（電線部７１Ａ，７１Ｂ，７１Ｄ）を保持するための筐体側支持部１４０が設けられている。筐体側支持部１４０は、第２結束部材１４２によって構成され、この第２結束部材１４２は、筐体４に固定される固定部材１５０とは別体に構成されるとともに固定部材１５０に組み付けられている。固定部材１５０は、筐体４に固定されるフレームとして構成されていてもよく、ガスコンロ１を構成する様々な器具、部品などであってもよい。
【００５３】
このように固定部材１５０とは別部材の第２結束部材１４２によって筐体側支持部１４０が構成され、この筐体側支持部１４０が第１回路構成部６１を構成する電線部７１の少なくとも一部（具体的には、電線部７１Ａ，７１Ｂ，７１Ｄ）を結束して固定部材１５０に固定するように機能している。具体的には、図７のように、第２結束部材１４２には、環状部１４４が設けられており、この環状部１４４によって束ねられる形で複数の電線部７１が保持されている。環状部１４４は、複数の電線部７１をある程度の強さで挟み込むように構成されていてもよく、複数の電線部７１を若干緩やかに束ねるように配置されていてもよい。
【００５４】
本構成では、筐体側支持部１４０は、電線部７１を結束部１２０による結束位置よりもコントローラ９側で支持している。具体的には、図９のように、電線部７１において筐体側支持部１４０による保持位置よりも一方側の端部に第１コネクタ部８１が設けられ、この第１コネクタ部８１が上述した第２コネクタ部８２と結合するようになっている。一方、電線部７１において筐体側支持部１４０による保持位置よりも他方側（第１コネクタ部８１とは反対側）の端部が直接又は他部材を介してコントローラ９を構成する基板に接続されている。
【００５５】
以上のように、ガスコンロ１は、筐体４に収容されたコントローラ９と、天板２に取り付けられる操作部９０とを備え、コントローラ９と操作部９０の間の信号伝達経路となるように電線部７１Ｄ，７２Ｄが設けられている。このように構成されているため、天板２に電子部品を設けることができ、電線部７１Ｄ，７２Ｄによって天板２側と筐体４側とを電気的に接続することができる。
【００５６】
更に、操作部９０は、操作基板９８（基板部）を保持する保持筐体部１００が天板２に固定される構成をなし、保持筐体部１００には下方側に延びる延設部１０８が形成されている。そして、この延設部１０８に対して、結束部１２０によって電線部７２Ｄが結束される構造となっている。このように構成されているため、電線部７２Ｄが操作基板９８（基板部）側とは反対側に引っ張られた場合に、その引っ張り力が操作基板９８（基板部）側に伝達することを結束部１２０によって確実に抑制することができる。よって、このような引っ張り力に起因する電子部品の損傷防止が図られる。
【００５７】
操作部９０の結束部１２０は、延設部１０８とは別体に構成されるとともに延設部１０８に固定される結束部材１２２を含んでいる。この構成によれば、結束部材１２２に損傷等が生じた場合に結束部材１２２のみを交換して対応することが可能となる。また、延設部１０８を結束部材１２２と一体的に形成する必要が無いため、延設部１０８及び結束部材１２２を形成する上での自由度が増す。
【００５８】
更に、筒状部１０６によって保持部が構成され、筒状部１０６の外面部に係止部１１１，１１２が形成され、操作部９０の上面部１０２は、筒状部１０６から張り出すフランジ部１０４を含んでおり、天板２には、貫通孔部３Ａが形成されている。そして、保持筐体部１００は、フランジ部１０４が天板２の上面側で支持され且つ筒状部１０６が貫通孔部３Ａに挿入されつつ係止部１１１，１１２が貫通孔部３Ａの縁部と係止する構成で天板２に固定される。この構成によれば、ねじなどの連結部材を多数用いることなく保持筐体部１００を天板２に安定的に固定することができる。特に、天板２側については貫通孔部３Ａを形成するという簡易な構成で済み、操作部９０側についても、筒状部１０６にフランジ部１０４と係止部１１１，１１２を形成するという簡易な構成で済むため、部品点数を抑えた簡易な構成で安定的な組み付けが可能となる。
【００５９】
筐体４に固定される固定部材１５０には、電線部７１Ｄ，７２Ｄを結束部１２０による結束位置よりもコントローラ９側で支持する筐体側支持部１４０が形成されている。この構成によれば、例えば天板２の取り外し時などにおいて電線部７１Ｄ，７２Ｄに引っ張り力が生じた場合に、その引っ張り力が操作基板９８（基板部）付近に伝達することを抑制するだけでなく、コントローラ９側に伝達することも確実に抑制することができる。よって、このような引っ張り力に起因する筐体４側の損傷についても防止効果が高まる。
【００６０】
＜他の実施例＞
本発明は上記記述及び図面によって説明した実施例に限定されるものではなく、例えば次のような例も本発明の技術的範囲に含まれる。
（１）上述した実施例では、電線部７２Ｄの一端側がはんだ付けなどによって直接的に操作基板９８（基板部）に接続される構成を例示したが、電線部７２Ｄの一端側が他部材を介して間接的に基板部に接続されていてもよい。例えば、電線部７２Ｄの一端側にコネクタが連結され、このコネクタが操作基板９８に実装されたコネクタと結合するような構成であってもよい。
（２）上述した実施例では、筒状部１０６の外面部に係止爪（係止部１１１，１１２）が形成され、この係止爪を天板２の貫通孔部３Ａに係止させることで保持筐体部１００を天板２に組み付ける構成を例示したが、これ以外の係止構造であってもよい。例えば、天板に形成された係止爪が保持筐体部に係止するような係止構造であってもよい。
（３）上述した実施例では、保持筐体部は、押下部９４Ａを覆う部材（シート材９２及び撓み部１０２Ｂ）を天板２の上方側に露出させた構成で操作基板９８（基板部）を保持する構成であったが、押下スイッチの押下部を天板の上方側に露出させた構成で基板部を保持する構成であってもよい。
（４）上述した実施例では、結束部１２０と筒状部１０６（保持部）とが別部材として構成され、これらが互いに連結された構成を例示したが、結束部と保持部とが同一部材によって一体的に構成されていてもよい。
（５）上述した実施例では、筐体４に固定される固定部材１５０に組み付けられる形で筐体側支持部１４０が設けられていたが、筐体に組み付けられる形で筐体側支持部が設けられていてもよい。或いは、筐体又は筐体に固定される固定部材と一体的に筐体側支持部が構成されていてもよい。
【符号の説明】
【００６１】
１…ガスコンロ
２…天板
３Ａ…貫通孔部
４…筐体
９…コントローラ
５０…マイクロコンピュータ（制御回路）
９０…操作部
９４…押下スイッチ
９４Ａ…押下部
９８…操作基板（基板部）
１００…保持筐体部
１０２…上面部
１０４…フランジ部
１０６…筒状部（保持部）
１０８…延設部
１１１，１１２…係止部
１２０…結束部
１２２…結束部材
１４０…筐体側支持部
【図１】
0006684585.tif 000002
【図２】
0006684585.tif 000003
【図３】
0006684585.tif 000004
【図４】
0006684585.tif 000005
【図５】
0006684585.tif 000006
【図６】
0006684585.tif 000007
【図７】
0006684585.tif 000008
【図８】
0006684585.tif 000009
【図９】
0006684585.tif 000010